(57)【要約】      （修正有）【課題】利用者が把持する際に、握りやすく、心地よい把持感が得られる手摺部材を提供する。【解決手段】グリップ部１が自己形状保持可能なゲル状物質１１を用いて形成されていることで、利用者の手のひらや指によって把持された際にグリップ部１が追随して変形することで把持圧が適度に分散されて握りやすくなり、また自己形状保持可能なゲル状物質１１の変形はするが流動はしないという特性によって、把持した手のひらや指に力をかけてもしっかり感が保持されることで、握った利用者は心地よい把持感を得ることができる。【選択図】        図１
2006299596.tif 000002
【特許請求の範囲】
【請求項１】
利用者に把持されて用いられる手摺部材であって、利用者の手のひらや指が触れる表面の少なくとも一部に、自己形状保持可能なゲル状物質を用いて形成したグリップ部が設けられていることを特徴とする手摺部材。
【請求項２】
前記グリップ部は、ゲル状物質の外面に可とう性の合成樹脂材料を用いて外皮層が設けられていることを特徴とする請求項１に記載の手摺部材。
【請求項３】
前記グリップ部は、透明又は半透明のものとなされていることを特徴とする請求項１又は２に記載の手摺部材
【発明の詳細な説明】
【技術分野】
【０００１】
本発明は、屋内の廊下、階段および浴室等、または屋外の階段、ベランダ、柵、高欄および東屋等に設置される手摺に用いられる手摺部材に関するものである。
【背景技術】
【０００２】
握ったときの触感や握りやすさを高めた手摺部材としては、被覆体表面層が少量の酸化チタン微粉を混入浸透してなる直径１０〜１００μｍの微粒子木粉５〜５０％に対し、その残余を１０〜５０％の可塑剤を含む軟質又は半硬質ポリ塩化ビニルとする木粉入りペレットコンパウンドから押出し成形により形成され、手に馴染みやすい触感を与える手摺用被覆体が開示されている（例えば特許文献１）。
【０００３】
また、手摺の全周を覆う筒状の軟質材より成るカバー本体の長手方向に装着用切り裂きを形成し、カバー本体の内側にクッション層を設け、更にクッション等の内側に固定用の両面接着テープを設けて、手摺を掴んだ場合に手にフィットし易くした手摺カバーが開示されている（例えば特許文献２）。
【０００４】
【特許文献１】特開平１０−８８７６３号公報
【特許文献２】登録実用新案公報  第３０４３３８５号
【発明の開示】
【発明が解決しようとする課題】
【０００５】
しかしながら、特許文献１に記載のような従来の手摺部材では、握った際に表面は心地よい触感となるものの、手のひらや指に全く追随しないために握りやすさという点では不足のあるものであった。
【０００６】
また、特許文献２に記載のような手摺部材では、握った瞬間は手のひらや指に追随して変形するが、握った状態でいずれかの方向に力をかけると、クッション層が移動する等によりしっかり感に欠けるものであり、心地よい把持感を得るという点で不足のあるものであった。
【０００７】
本発明は上記の如き課題に鑑みてなされたものであり、利用者が把持する際に、握りやすく、心地よい把持感が得られる手摺部材を提供せんとするものである。
【課題を解決するための手段】
【０００８】
上記目的を達成するため、本発明は以下のような構成としている。すなわち、本発明に係わる手摺部材は、利用者に把持されて用いられる手摺部材であって、利用者の手のひらや指が触れる表面の少なくとも一部に、自己形状保持可能なゲル状物質を用いて形成したグリップ部が設けられていることを特徴とするものである。
【０００９】
本発明に係わる手摺部材によれば、グリップ部が自己形状保持可能なゲル状物質を用いて形成されていることで、利用者の手のひらや指によって把持された際にグリップ部が追随して変形して把持圧が適度に分散されて握りやすくなり、また自己形状保持可能なゲル状物質の変形はするが流動はしないという特性によって、把持した手のひらや指に力をかけてもしっかり感が保持されることで、握った利用者は心地よい把持感を得ることができる。
【００１０】
また請求項１に記載の手摺部材において、前記グリップ部は、ゲル状物質の外面に可とう性の合成樹脂材料を用いて外皮層が設けられていれば、外皮層によりゲル状物質が保護され、また外皮層の厚み、外皮層を形成する合成樹脂材料の硬度、弾性率等の機械的物性によりグリップ部の変形の度合いを調整し把持感の最適化が容易に行えるようになり好ましい。
【００１１】
また請求項１又は２に記載の手摺部材において、前記グリップ部は、透明又は半透明のものとなされていれば、手摺部材としての意匠性が高められたものとなり好ましい。
【発明の効果】
【００１２】
本発明に係わる手摺部材によれば、グリップ部が自己形状保持可能なゲル状物質を用いて形成されていることで、利用者の手のひらや指によって把持された際にグリップ部が追随して変形して把持圧が適度に分散されて握りやすくなり、また自己形状保持可能なゲル状物質の変形はするが流動はしないという特性によって、把持した手のひらや指に力をかけてもしっかり感が保持されることで、握った利用者は心地よい把持感を得ることができる。
【発明を実施するための最良の形態】
【００１３】
本発明に係わる最良の実施の形態について、図面に基づき以下に具体的に説明する。
【００１４】
図１は、本発明に係わる手摺部材の、第一の実施形態を示すもので、（ａ）は使用状態の斜視図、（ｂ）はグリップ部の詳細を示す断面図である。まず（ａ）において、手摺部材１０は、アルミニウム製の断面円形の管状体である芯材２の、断面全周にグリップ部１が設けられて形成されたものである。グリップ部１は芯材２の周囲に略均一な厚みで設けられている。かかるグリップ部１により、手摺部材１０のどの箇所を握っても、握りやすく、握った人に心地よい把持感を与えるようになされている。
【００１５】
グリップ部１は、（ｂ）に示す如く、芯材２の外面に自己形状保持可能なゲル状物質１１が配置され、ゲル状物質１１の外面は更に可とう性の外皮層１２が設けられている。外皮層１２によりゲル状物質１１が保護され、ゲル状物質１１への塵埃等の付着や、握った人がべたつきを感じることを防止している。
【００１６】
グリップ部１の形成に用いられる自己形状保持可能なゲル状物質１１は、化学的又は物理的な高分子間の架橋作用により、ポリマーが水分や有機溶媒等を含有した状態で３次元の網状又は蜂の巣状の構造をとったものであり、ゲル状物質そのものが自己形状保持可能に形成されたものを用いることができ、シリコーンゲル、アクリルゲル、ウレタンゲル等を用いることができ、とりわけ衝撃吸収の用途で用いられるシリコーンゲルを好適に用いることができる。好適に用いることができるゲル状物質としては、例えばαＧＥＬ（登録商標。ジェルテック社製）が挙げられる。
【００１７】
また外皮層１２を形成する可とう性の合成樹脂材料としては、シリコーンゴム、ブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニール樹脂、スチレン−ブタジエン系やポリオレフィン系、ポリエステル系、ポリ塩化ビニル系、ポリウレタン系、ポリアミド系等のエラストマーなどの各種合成ゴムや合成樹脂等からなる弾性材やそれらを発泡させたもの等を、適宜必要とされる硬度や可とう性に応じて用いることができる。
【００１８】
本実施形態において、グリップ部１を形成するには、まず外皮層１２を成形しておき、芯材２と外皮層１２との間の空間に硬化前で流動性の状態のゲル状物質１１を注入し、注入後に常温で放置若しくは加熱することで硬化させて自己形状保持を可能とするようにするのが好ましく、また押出成形によって外皮層１２を形成する場合は、成形時に硬化前のゲル状物質１１を同時に注入し、成形時と成形後に硬化させるようにしてもよい。また外皮層１２と芯材２との空間の距離を保持するために、適宜スペーサーを設けておいてもよい。
【００１９】
グリップ部１におけるゲル状物質１１の厚みは、特に限定されるものではないが、あまりに小さいと握りやすさ及び把持感が得られ難くなり、大きすぎると変形の量が大きくなって却って握りやすさが損なわれる恐れが生じることから、１〜１０ｍｍ程度としておくのが好ましい。
【００２０】
グリップ部１の色調については、ゲル状物質１１及び／又は外皮層１２に配合する顔料によって任意の色調とすることができるが、ゲル状物質１１及び外皮層１２を透明又は半透明なものとして芯材２が視認できるようにすることで、グリップ部１の意匠性を高めることができると共に、芯材２の外観や色調を活用した手摺部材１０とすることができる。また透明又は半透明なゲル状物質１１及び外皮層１２には、顔料を配合して着色透明又は着色半透明とすることで、更に意匠性を高めてもよい。他方、外皮層１２を不透明なものとすれば、ゲル状物質１１による握りやすさ及び把持感を備えつつ、外観を一般的な木目調やメタリック調等の任意のものとして、適用可能な用途を拡大することができる。
【００２１】
図２は、本発明に係わる手摺部材の、第二の実施形態を示す断面図である。手摺部材１０は、アルミニウム製の断面円形の管状体である芯材２の、断面略下半分の外面にグリップ部１が設けられ、残余の外面にオレフィン系エラストマーや軟質塩化ビニル樹脂等といった軟質合成樹脂からなる木目調の被覆外層Ｈが設けられている。かかる構成により、手摺部材１０を上方から俯瞰した場合には被覆外層Ｈにより一般的な木目調の手摺の外観となり、握った場合にはグリップ部１によって握りやすさ及び心地よい把持感を得ることができるようになされ、グリップ部１及び被覆外層Ｈの双方の利点を兼ね備えさせることができる。また一般に手摺部材１０は、指のかかることの多い下半分について握りやすさや把持感が重視されるものであり、高価な自己形状保持可能なゲル状物質１１を節約しつつ、その効果を最大限に発揮させることができるようになる。
【００２２】
グリップ部１は、図３に示す如くゲル状物質１１の外面に外皮層１２を設けてもよい。外皮層１２は、芯材２に対して被覆外層Ｈ及び外皮層１２が一体に成形され、外皮層１２は芯材２と一定の距離が隔てられて形成されると共に、外皮層１２と芯材２との間に形成された空間にゲル状物質１１が充填されて形成される。かかる被覆外層Ｈ及び外皮層１２を形成するにおいては、異形金型を用いて押出被覆成形を行い、被覆外層Ｈは多色木目調の色調とし、外皮層１２は任意の色調として形成することができる。外皮層１２の色調についても被覆外層Ｈと同様にして、違和感のない外観と握りやすさ及び把持感とを兼ね備えさせるようにしてもよい。
【００２３】
グリップ部１にゲル状物質１１を設けるには、第一の実施形態と同様の方法を用いることができるが、被覆外層Ｈ及び外皮層１２を押出被覆成形する場合は、成形時に同時に硬化前のゲル状物質１１を注入しておけば、後から空間に注入する必要がなく、気泡等が生じる恐れが少なくなり好ましい。
【００２４】
図４は、本発明に係わる手摺部材の、第三の実施形態を示すもので、（ａ）は手摺部材全体を示す斜視図、（ｂ）はグリップ部を示す斜視図、（ｃ）はグリップ部の詳細を示す断面図である。まず（ａ）において、手摺部材１０は、断面の上方及び左右に凹部２２が設けられ、下方には手摺部材１０をブラケット等に固定するための係止溝２１が長手方向に開口されて設けられている。その芯材２にグリップ部１が被せられて形成されているが、グリップ部１についても係止溝２１部分は開口され、その開口縁には係止溝２１内面に係止される回り止め部１３が内方に略直角に折り返されて形成されている。
【００２５】
（ｂ）に示す如く、グリップ部１はゲル状物質１１の外面に外皮層１２が設けられて形成されている。グリップ１は、第一及び第二の実施形態に示した如く芯材２に対して被覆して一体に成形してもよいが、別体で成形しておいて設置する現地において芯材２にグリップ部１を被せるようにしてもよい。別体で成形しておく場合には、ゲル状物質１１は被せる前に硬化させて自己形状保持が可能な状態としておけば、被せる際にはゲル状物質１１が変形して容易に被せる作業を行うことができ、また被せる作業の完了後はゲル状物質が元の形状に戻るので、ゲル状物質１１が用いられていることによって被せる作業時及びその後の形状保持において高い性能を発揮することができる。
【００２６】
またグリップ部１は、外皮層１２を外面側のみに設けておけば、内面側はゲル状物質１１が露出した状態となり、ゲル状物質１１が一般に備えるタック性によりグリップ部１と芯材２とが粘接着されてグリップ部１の位置ズレ防止や回り止めに寄与させることができるが、（ｃ）に示す如くゲル状物質１１の外面側及び内面側の両方に外皮層１２を設けて、内面側への塵埃等の付着の防止、芯材２への被せる作業時における滑り性の確保等を図ってもよい。また回り止め部１３については、図示したように外皮層１２と一体成形しておくのが好ましく、回り止め部１３は人が握る場所ではないことから、内部のゲル状物質１１を省いて変形を抑制しておいてもよい。
【００２７】
図５は、本発明に係わる第四の実施形態を示す断面図である。手摺部材１０は、第三の実施形態と同様に、芯材２にグリップ部１が被せられて形成されているものであるが、芯材２の開口溝２１にはブラケット３が挿入され、ブラケット３は壁面Ｗに取り付けられている。グリップ部１が透明となされると共に、芯材２の凹部２２にチップ型のＬＥＤである光源４が設けられ、光源４からグリップ部１を透過して外部に向かって光Ｌが発せられることで、夜間における手摺部材１０の視認性や、発光による高い意匠性が備えられるようになされている。グリップ部１を着色透明又は着色半透明なものとして、発せられる光Ｌを着色することで更に意匠性を高めることもできる。
【００２８】
光源４は、チップ型のＬＥＤに限定されず、砲弾型ＬＥＤ、蛍光管、エレクトリックルミネセンス（ＥＬ）等、光を発する適宜のものを用いることができる。
【００２９】
図６は、芯材を変形させた手摺部材１０の一例を示す断面図である。芯材２は、断面円形状の管状部２１と、管状部２３の上面に一体に設けられた断面Ｔ字状の支承部２４とが設けられたもので、アルミニウム等の金属の、押出成形によって得られたものである。芯材２の外面には、管状部２３の断面全周の外面にグリップ部１が設けられると共に、支承部２４のＴ字状の上面が露出されて設けられている。かかる構成により、芯材２の一部で全く変形しない支承部２４によってしっかり感が備えられ、高いしっかり感が必要とされる用途に好適に用いることができる。また支承部２４の上面とグリップ部１の外面とは段差がなくされ、握った際の違和感を軽減するようになされている。
【図面の簡単な説明】
【００３０】
【図１】本発明に係わる手摺部材の、第一の実施形態を示す説明図である。
【図２】本発明に係わる手摺部材の、第二の実施形態を示す断面図である。
【図３】図２におけるグリップ部及び被覆外層の詳細を示す断面図である。
【図４】本発明に係わる手摺部材の、第三の実施形態を示す説明図である。
【図５】本発明に係わる手摺部材の、第四の実施形態を示す断面図である。
【図６】本発明に係わる手摺部材の、芯材の変形の一例を示す断面図である。
【符号の説明】
【００３１】
１    グリップ部
１１  ゲル状物質
１２  外皮層
２    芯材
１０  手摺部材
【図１】
2006299596.tif 000003
【図２】
2006299596.tif 000004
【図３】
2006299596.tif 000005
【図４】
2006299596.tif 000006
【図５】
2006299596.tif 000007
【図６】
2006299596.tif 000008